(57)【特許請求の範囲】
【請求項１】
原汚泥に薬剤を混入し固液分離を行って分離液と脱水ケーキとを生成する遠心脱水機又は前記分離液と濃縮液とを生成する濃縮機から送出される該分離液を整流して導入する整流導入手段と、該整流導入手段から前記分離液を導入可能に形成した第一槽と、該第一槽の上方に配置され該第一槽で浮上した浮上物若しくは分離液の性状を計測する第一計測手段と、前記第一槽と連通させて該第一槽の分離液を導入する第二槽と、該第二槽の上方に配置され該第二槽で浮上した浮上物若しくは分離液の性状を計測する第二計測手段とを備えた分離液監視装置。
【発明の詳細な説明】
【０００１】
【産業上の利用分野】
この発明は、原汚泥を分離液と脱水ケーキとに分ける遠心脱水機、又は分離液と濃縮液とに分ける濃縮機の運転によって得られる分離液の性状を監視し、原汚泥に混入すべき薬剤の量を最適に制御する分離液監視装置に関するものである。
【０００２】
【従来の技術】
従来から、遠心脱水方法を採用した固液分離処理により、汚泥処理をする技術について種々提供されており、その固液分離処理を促進するため、例えば無機凝集剤及び両性ポリマー等の薬剤が原汚泥に混入されて用いられている。
【０００３】
そして、これらの無機凝縮剤や両性ポリマー等の薬剤の原汚泥に対する混入量を所定の値とするために、分離液に浸されて設置された濁度計（ＩＲ計）により分離液性状が測定され、この測定結果に従って上記薬剤の流入量を任意に調節していた。
【０００４】
なお、汚泥性状の変化により分離状態が良好でない場合には、分離液に発生する泡が黒くなることが知られている。
【０００５】
【発明が解決しようとする課題】
従来の分離液監視装置にあっては、分離液中の泡や浮遊物質（ＳＳ）の影響や、残留薬剤等の影響で分離液の濃度が均一とならず、分離液性状の測定が困難であったため、薬剤注入の最適制御が行えず、結果的に汚泥分離が不均一になってしまう等の問題点があった。
【０００６】
また、分離液性状は該分離液に浸漬した濁度計によって直接測定するため、濁度計が汚れやすく、その洗浄が必要となるので、手間がかかりコスト高となるという問題点があった。
【０００７】
この発明は上記のような問題点を解消するためになされたもので、原汚泥の固液分離に際して分離液の性状を濁度計を使用せずに監視することにより、汚泥性状の変化に応じて原汚泥に混入すべき薬剤の量を最適に制御し、固液分離の処理を促進することができる分離液監視装置を得ることを目的とする。
【０００８】
【課題を解決するための手段】
この発明に係る分離液監視装置は、遠心脱水機又は濃縮機から送出される分離液を整流して導入する整流導入手段と、該整流導入手段から前記分離液を導入可能に形成した第一槽と、該第一槽の上方に配置され該第一槽で浮上した浮上物若しくは分離液の性状を計測する第一計測手段と、前記第一槽と連通させて該第一槽の分離液を導入する第二槽と、該第二槽の上方に配置され該第二槽で浮上した浮上物若しくは分離液の性状を計測する第二計測手段とを備えたものである。
【０００９】
【作用】
この発明における分離液監視装置は、以下の作用を奏する。すなわち、遠心脱水機又は濃縮機から送出された分離液は、整流導入手段によって整流され、第一槽内に導入される。第一槽で浮上した浮上物若しくは分離液は、その性状を第一計測手段によって計測される。なお、第一槽をオーバーフローした浮上物若しくは分離液は、適宜排出される。
【００１０】
次に第一槽の分離液は第二槽に導入され、第二槽で浮上した浮上物若しくは分離液は、その性状を第二計測手段によって計測される。なお、第二槽をオーバーフローした浮上物若しくは分離液も適宜排出される。
【００１１】
第一計測手段及び第二計測手段によって計測された分離液等の性状に応じて、原汚泥に混入すべき薬剤の量が最適制御される。この場合において、第一計測手段及び第二計測手段は分離液に浸されて設置されていないので、汚れ等の影響を受けずに分離液性状を測定することができる。
【００１２】
【実施例】
実施例１．
以下、この発明の一実施例を図について説明する。先ず、本実施例に係る分離液監視装置が使用される汚泥処理システム全体について説明する。図１はこの発明の一実施例による分離液監視装置が使用される汚泥処理システムを示す概念図であり、図において、１は原汚泥が貯溜されている汚泥タンク、２はこの汚泥タンク１内の原汚泥をパイプ３を通じて外部へ送出するポンプである。４はポンプ２により送出された原汚泥を収容し、高速回転による遠心分離により脱水を行った原汚泥の脱水ケーキと分離液とを分離して取り出す遠心脱水機である。
【００１３】
また、５は両性ポリマーを収容した両性ポリマータンク、６はこの両性ポリマータンク５からの両性ポリマーを上記パイプ３へ送出し原汚泥に混合させるポンプ、７はその両性ポリマーの送出量を制御する制御器であり、後述する第一光センサー（第一計測手段）２２若しくは第二光センサー（第二計測手段）２８の計測結果に応じて動作可能に形成されている。
【００１４】
さらに、８は無機凝集剤を収容した無機凝集剤タンク、９はこの無機凝集剤タンク８からの無機凝集剤を上記パイプ３へ送出し原汚泥に混合させるポンプ、１０はその無機凝集剤の送出量を制御する制御器であり、後述する第一光センサー２２若しくは第二光センサー２８の計測結果に応じて動作可能に形成されている。
【００１５】
１１は上記遠心脱水機４から排出される分離液を排出するパイプで、分離液の一部をバイパスするバイパスパイプ１２が接続されている。１５は両性ポリマー等の薬剤の注入量を制御するために、バイパスパイプ１２の途中に配設され、分離液の性状を監視する分離液監視装置である。１６はこのバイパスパイプ１２の途中に配設され、バイパスパイプ１２中の分離液を分離液監視装置１５に送出させるポンプ、１７は脱水ケーキの排出通路である。
【００１６】
以下、この発明の一実施例に係る分離液監視装置１５の詳細を図について説明する。図２はこの発明の一実施例による分離液監視装置の概念図、図３は分離液の状態と色センサー値との関係を示したグラフ図、図４は分離液の状態と色センサー値との関係を示した表図である。図において、１８はバイパスパイプ１２に接続され、遠心脱水機４から送出される前記分離液を整流して導入する整流導入手段、２０は整流導入手段１８に連通させて形成し、その整流導入手段１８を通過した分離液を下向きの流れで導入可能に形成された第一槽である。すなわちこの第一槽２０は、上部を開口とした箱状に形成されている。
【００１７】
２２は第一槽２０の上方に配置され、該第一槽２０で浮上した浮上物若しくは分離液の性状（例えば、気泡の色）を計測する色センサー等の第一光センサー（第一計測手段）であり、その測定値データを上記制御器７若しくは制御器１０に供給可能に形成されたものである。
【００１８】
２４は第一槽２０の下部と連通させて該第一槽２０の分離液を第二槽２６へ導入移送する連通移送手段であり、第二槽２６の下部と連通してある。この第二槽２６も第一槽２０と同様に、上部を開口とした箱状に形成されている。
【００１９】
２８は第二槽２６の上方に配置され、該第二槽２６で浮上した浮上物若しくは分離液の性状（例えば、気泡の色）を計測する色センサー等の第二光センサー（第二計測手段）であり、その測定値データを上記制御器７若しくは制御器１０に供給可能に形成されたものである。
【００２０】
なお、第一槽２０及び第二槽２６をオーバーフローした浮上物若しくは分離液が前記パイプ１１に排出されるように、図示しない排出手段が設けられている。
【００２１】
次に動作について説明する。遠心脱水機４から排出された分離液は、パイプ１１、ポンプ１６、バイパスパイプ１２を経て、整流導入手段１８に導入され、整流されて第一槽２０に下向き流れとなって導入される。そして、第一槽２０で浮上した浮上物若しくは分離液は、その性状（気泡の色等）を第一光センサー２２によって計測される。第一槽２０をオーバーフローした浮上物若しくは分離液は、図示しない排出手段によってパイプ１１に排出される。
【００２２】
次に第一槽２０の分離液は、連通移送手段２４を経て第二槽２６の下部から上向き流れで第二槽２６内に導入され、第二槽２６で浮上した浮上物若しくは分離液は、その性状を第二光センサー２８によって計測される。第二槽２６をオーバーフローした浮上物若しくは分離液は、図示しない排出手段によってパイプ１１に排出される。
【００２３】
これら第一光センサー２２及び第二光センサー２８によって計測された測定値データは、制御器７若しくは制御器１０に供給される。
【００２４】
測定値データと分離液性状との関係は、例えば、図３及び図４に示すように把握することができる。したがって、これら測定値データと分離液性状との関係や注入すべき薬剤の量を予め検定しておくことによって、分離液等の性状に応じて原汚泥に混入すべき薬剤の量が制御器７，１０によって最適制御される。
【００２５】
またこの場合において、第一光センサー２２及び第二光センサー２８は分離液に直接浸されて設置されていないので、汚れ等の影響を受けずに分離液性状を正確に測定することができる。
【００２６】
また、二つの第一光センサー２２及び第二光センサー２８によって分離液性状を測定できるので、分離液中の泡や浮遊物質（ＳＳ）の影響や、残留薬剤等の影響を受けにくくなる。
【００２７】
【発明の効果】
以上のように、この発明によれば、遠心脱水機又は濃縮機から送出される分離液を整流して導入する整流導入手段と、該整流導入手段から前記分離液を導入可能に形成した第一槽と、該第一槽の上方に配置され該第一槽で浮上した浮上物若しくは分離液の性状を計測する第一計測手段と、前記第一槽と連通させて該第一槽の分離液を導入する第二槽と、該第二槽の上方に配置され該第二槽で浮上した浮上物若しくは分離液の性状を計測する第二計測手段とを備えて構成したので、汚泥性状の変化に応じて原汚泥に混入すべき薬剤の量を最適に制御し、固液分離の処理を促進することができる分離液監視装置を得ることができる。
【図面の簡単な説明】
【図１】この発明の一実施例による分離液監視装置が使用される汚泥処理システムを示す概念図である。
【図２】この発明の一実施例による分離液監視装置の概念図である。
【図３】分離液の状態と色センサー値との関係を示したグラフ図である。
【図４】分離液の状態と色センサー値との関係を示した表図である。
【符号の説明】
４  遠心脱水機
１５  分離液監視装置
１８  整流導入手段
２０  第一槽
２２  第一光センサー（第一計測手段）
２６  第二槽
２８  第二光センサー（第二計測手段）
【図１】
0003565944.tif 000002
【図２】
0003565944.tif 000003
【図３】
0003565944.tif 000004
【図４】
0003565944.tif 000005